(57)【要約】【課題】施工に手間がかからず、外観上の纏まりがよいのに加え、床面の不陸に柔軟に対応して内部への埃や物の侵入を効果的に防止することが可能な隙間調整台輪を提供する。【解決手段】剛性構造物(１００)と床面(Ｆ)との間に設置される隙間調整台輪であって、四周を厚板状の横架材(１２)で形成した台輪本体(１０)と、その台輪本体(１０)の底面角部に設けられた高さ調整用のアジャスター機構(１４)と、上記横架材(１２)の裏面側もしくは該横架材(１２)の底面に設けた切欠き凹部(１５)に配設され、台輪本体(１０)の底面と床面(Ｆ)との間に生じる隙間を閉塞する板状の隙間調整部材(１６)とを備えることを特徴とする。【選択図】図１
2018019828.tif 000002
【特許請求の範囲】
【請求項１】
剛性構造物(１００)を設置する際に当該剛性構造物(１００)と床面(Ｆ)との間に設置される隙間調整台輪であって、
四周を厚板状の横架材(１２)で形成した台輪本体(１０)と、
その台輪本体(１０)の底面角部に設けられた高さ調整用のアジャスター機構(１４)と、
上記横架材(１２)の裏面側もしくは該横架材(１２)の底面に設けた切欠き凹部(１５)に配設され、台輪本体(１０)の底面と床面(Ｆ)との間に生じる隙間を閉塞する板状の隙間調整部材(１６)とを備える、
ことを特徴とする隙間調整台輪。
【請求項２】
請求項１の隙間調整台輪において、
前記隙間調整部材(１６)の上部を硬質材料(１８)で形成し、その下部を軟質材料(２０)で形成する、ことを特徴とする隙間調整台輪。
【請求項３】
請求項１又は２の隙間調整台輪において、
前記隙間調整部材(１６)は、前記横架材(１２)の裏面側もしくは該横架材(１２)の底面に設けた切欠き凹部(１５)にて上下移動可能に取り付けられる、ことを特徴とする隙間調整台輪。
【発明の詳細な説明】
【技術分野】
【０００１】
本発明は、剛性構造物（具体的には収納体或いはキャビネットと言った家具や仮設或いは常設のステージなど）を設置する際に、当該剛性構造物と床面との間に設置される台輪の改良に関する。
【背景技術】
【０００２】
室内・屋外を問わず、収納体或いはキャビネット等の家具やステージなどの剛性構造物を設置する場合、床面に台輪を配設した上で当該剛性構造物の設置が行われる。この台輪は、一般的に、設置面の不陸対応として、アジャスター機構などで上下位置の調整を行うことができるようになっている。
ここで、不陸に対応するため上下位置の調整を行った後の台輪底面と設置床面との間には、隙間の生じることが多い。このような隙間は、基本的には、使用者の目線には入り難い(目立たない)が、誤って硬貨などを落とした場合には当該隙間に入り込んで取れなくなる虞がある。又、埃溜まりにも成り易く、清掃が容易でないため雑菌等が繁殖し易くなると言った問題もあった。
【０００３】
そこで、このような隙間を隠して閉塞する仕様として、下記の特許文献１及び２に開示されているように、施工後に外側からカバー部材を取り付けることが行われていた。
【先行技術文献】
【特許文献】
【０００４】
【特許文献１】実開昭５６−３８６６１号公報
【特許文献２】特開２００３−１５９１３５号公報
【発明の概要】
【発明が解決しようとする課題】
【０００５】
しかしながら、上記従来技術のように、施工後に外側からカバー部材を取り付けて隙間を隠す態様のものでは、設置状況により必要とする部材の大きさが変わることや、カバー部材を外側から設置するため、施工に手間がかかることが多く、見た目にも影響することも多い。
それゆえに、本発明の主たる課題は、施工に手間がかからず、外観上の纏まりがよいのに加え、床面の不陸に柔軟に対応して内部への埃や物の侵入を効果的に防止することが可能な隙間調整台輪を提供することである。
【課題を解決するための手段】
【０００６】
上記の課題を達成するため、本発明は、例えば、図１〜６に示すように、隙間調整台輪を次のように構成した。
すなわち、四周を厚板状の横架材１２で形成した台輪本体１０と、その台輪本体１０の底面角部に設けられた高さ調整用のアジャスター機構１４と、上記横架材１２の裏面側もしくは該横架材１２の底面に設けた切欠き凹部１５に配設され、台輪本体１０の底面と床面Ｆとの間に生じる隙間を閉塞する板状の隙間調整部材１６とを備える。
【０００７】
本発明では、台輪本体１０の底面と床面Ｆとの間に生じる隙間を閉塞する隙間調整部材１６を、横架材１２の裏面側もしくは該横架材１２の底面に設けた切欠き凹部１５に配設しているので、台輪本体１０の外側に隙間調整部材を設ける場合と異なり、外観上、隙間調整部材１６が目立たず、全体として看た場合の印象をまとまったものにすることができるのに加え、台輪本体１０と床面Ｆとの間に物が入り込んだり、埃溜まりとなることを防止することができる。
【０００８】
本発明においては、前記隙間調整部材１６の上部を硬質材料１８で形成し、その下部を軟質材料２０で形成することが好ましい。
隙間調整部材１６の上部は台輪本体１０に取り付けられる部分も含むため硬質材料１８で形成し、下部は床面Ｆの不陸に対して柔軟に対応させる必要が有るため軟質材料２０で形成する。こうすることで、床面Ｆに不陸が生じた場合であっても、台輪本体１０の底面と床面Ｆとの間の隙間をより一層確実に閉塞させることができる。
ここで、「硬質材料」とは、隙間調整部材１６を台輪本体１０へ取り付けた際に、その取り付け状態を長期に亘って維持できる機械的強度を有する材料を言い、具体的には、木材や木質ボードや硬質のエンジニアリング・プラスチックなどを例示することができる。また、「軟質材料」とは、床面Ｆの不陸に押し当てられた際、その不陸の形状に沿うよう変形できる柔軟性を持った材料を言い、具体的には、合成或いは天然のゴムやエラストマーと言ったゴム弾性を有する材料や軟質プラスチックなどを例示することができる。
【０００９】
また、本発明においては、前記隙間調整部材１６は、前記横架材１２の裏面側もしくは該横架材１２の底面に設けた切欠き凹部１５にて上下移動可能に取り付けられることが好ましい。
この場合、台輪本体１０を施工し、その水平調整が完了した後に、床面Ｆと台輪本体１０との距離に合わせて隙間調整部材１６を上下移動させるだけで、台輪本体１０の底面と床面Ｆとの間の隙間を簡単且つ確実に閉塞させることができる。
【００１０】
なお、本発明は、後述する実施形態に記載された特有の構成を付加することが好ましい。
【発明の効果】
【００１１】
本発明によれば、施工に手間がかからず、外観上の纏まりがよいのに加え、床面の不陸に柔軟に対応して内部への埃や物の侵入を効果的に防止することが可能な隙間調整台輪を提供することができる。
【図面の簡単な説明】
【００１２】
【図１】本発明における一実施形態の隙間調整台輪の概略を示す斜視図である。
【図２】本発明における一実施形態の隙間調整台輪の要部を示す部分断面斜視図である。
【図３】本発明における一実施形態の隙間調整台輪の概略を示す背面視垂直断面図とその要部拡大図である。
【図４】本発明における一実施形態の隙間調整台輪の概略を示す底面図である。
【図５】本発明における他の実施形態の隙間調整台輪の概略を示す底面図である。
【図６】本発明における他の実施形態の隙間調整台輪の概略を示す底面図である。
【発明を実施するための形態】
【００１３】
以下、本発明の一実施形態を図面を用いて説明する。図１は、本発明の隙間調整台輪の一例を示す概略図である。この図が示すように、本発明の床面Ｆの所定位置に、収納体或いはキャビネットと言った家具や仮設或いは常設のステージなどの剛性構造物１００を設置する際、当該剛性構造物１００と床面Ｆとの間に介装される部材で、台輪本体１０，アジャスター機構１４及び隙間調整部材１６を備える。
なお、本明細書全体を通して、各部材の符号に関し、同一種類の部材が複数個使用されている場合において、上位概念で示す場合にはアルファベットの枝番をつけずアラビア数字のみで示し、個別に区別する必要がある場合（すなわち下位概念で示す場合）には、アルファベット小文字の枝番をアラビア数字に付して区別する。
【００１４】
台輪本体１０は、四周を厚板状の横架材１２で形成された方形(図１の場合は矩形に形成)の枠体である。この台輪本体１０を形成する横架材１２の材料としては、加工性や強度などの観点から木材や硬質なエンジニアリング・プラスチックを使用するのが好適である。また、図１乃至４に示す実施形態では、この台輪本体１０の強度を増すため、台輪本体１０の長辺側を構成する横架材１２ａ及び横架材１２ｂの長手方向中央部に中桟１３が架設されている。
そして、この台輪本体１０の４つの角部（四隅）には、アジャスター機構１４が取り付けられる。
【００１５】
アジャスター機構１４は、床面Ｆに不陸が生じている場合であっても、台輪本体１０の上面が水平を確保するように高さ調節するためのもので、本実施形態では、このアジャスター機構１４が、台輪本体１０の四隅の底面に埋設された雌ネジ(図示せず)と、その雌ネジに螺合する雄ネジが螺設されたシャフトを有するレベルアジャスターとで構成される。
なお、上述したように、本実施形態では、アジャスター機構１４が台輪本体１０の四隅全てに設けられる場合を示しているが、このアジャスター機構１４は、台輪本体１０の上面が水平を確保するように高さ調節できるもので有れば、その態様は如何なるものであってもよく、例えば台輪本体１０底面の四隅のうち、２つの角に設けられるものなどであってもよい。
【００１６】
隙間調整部材１６は、台輪本体１０を形成する横架材１２の裏面側に配設され、台輪本体１０の底面と床面Ｆとの間に生じる隙間を閉塞する板状の部材である。この隙間調整部材１６は、その上部が木材や木質ボードやエンジニアリング・プラスチックなどの硬質材料１８で形成されており、その下部が合成又は天然のゴム或いはエラストマーと言ったゴム弾性を有する材料や軟質プラスチックなどの軟質材料２０で形成されている。なお、図１乃至３に示す実施形態では、隙間調整部材１６の下部を形成する軟質材料２０がチューブ状に成形する場合を示しているが、軟質材料２０の成形形状は、これに限定されるものではなく、可撓性を有し床面Ｆの不陸に追従できる形状であれば他の如何なるものであってもよく、例えば単なる帯状であってもよい。
この隙間調整部材１６は、例えば偏芯カム機構などによる高さ調節装置(図示せず)を介して、台輪本体１０を形成する横架材１２の裏面側にて上下移動可能に取り付けられる。
【００１７】
ここで、図１乃至４に示す実施形態では、台輪本体１０の長辺側を構成する横架材１２ａ及び１２ｂの長手方向中央部に中桟１３が架設されているため、横架材１２ａ及び１２ｂの裏面側はそれぞれ２つに分割されている。このため、横架材１２ａ及び１２ｂの裏面側にはそれぞれ隙間調整部材１６ａ，１６ｂ及び隙間調整部材１６ｃ、１６ｄが取り付けられるが、中桟１３の下方は隙間が開いたままとなる。そこで、このような場合には、図２乃至４に示すように、中桟１３の下方に開いた隙間を閉塞するブロック状の詰部材２２を取り付けるのが好ましい。なお、この詰部材２２も隙間調整部材１６と同様に上部を硬質材料１８で形成し、下部を軟質材料２０で形成するのが好適である。
【００１８】
次に、本実施形態の隙間調整台輪の使用方法について説明する。まず始めに、予め工場等で組み立てられた隙間調整台輪を所定の設置場所の床面Ｆに載置し、アジャスター機構１４を操作して台輪本体１０の上面が水平となるようにその上下位置を調整する。
続いて、(図示しない)高さ調節装置を作動させて横架材１２の裏面側に取り付けられている隙間調整部材１６を下降させ、台輪本体１０の底面と床面Ｆとの間の隙間を閉塞する。この際、隙間調整部材１６の下部を形成する軟質材料２０が床面Ｆの不陸に沿って十分に変形するように隙間調整部材１６を下降させる。
そして、中桟１３の下方に形成された隙間に詰部材２２を嵌め入れ、隙間調整部材１６へ押し当てるようにすることで、隙間調整台輪の設置が完了する。その後、この隙間調整台輪の上に家具等の剛性構造物１００が載置される。
【００１９】
本実施形態の隙間調整台輪によれば、台輪本体１０の底面と床面Ｆとの間に生じる隙間を閉塞する隙間調整部材１６を、横架材１２の裏面側に配設しているので、台輪本体１０の外側に隙間調整部材を設ける場合と異なり、外観上、隙間調整部材１６が目立たず、全体として看た場合の印象をまとまったものにすることができる。
また、隙間調整部材１６の上部を硬質材料１８で形成し、下部を軟質材料２０で形成しているので、床面Ｆに不陸が生じた場合であっても、台輪本体１０の底面と床面Ｆとの間の隙間をより一層確実に閉塞させることができる。
そして、中桟１３の下方に生じる空間を詰部材２２で閉塞するようにしているので、台輪本体１０に中桟１３が設けられているようなものであっても、台輪本体１０と床面Ｆとの間に物が入り込んだり、埃溜まりとなることを完全に防止することができる。
【００２０】
なお、上述の実施形態では、隙間調整部材１６を横架材１２の裏面側に配設する場合を示したが、例えば、図５に示すように、台輪本体１０の長辺を形成する横架材１２ａ及び１２ｂの底面それぞれに長手方向へと延びる切欠き凹部１５を堀設すると共に横架材１２ｃ及び１２ｄと接する裏面側を切欠き、横架材１２ａ及び１２ｂの切欠き凹部１５のそれぞれに隙間調整部材１６ｇ及び１６ｈを上下移動可能に取り付け、横架材１２ｃ及び１２ｄの裏面側のそれぞれに隙間調整部材１６ｉ及び１６ｊを上下移動可能に取り付けるようにしてもよい。また、図６に示すよう、台輪本体１０の全ての横架材１２の底面に長手方向へと延びる切欠き凹部１５を堀設し、その切欠き凹部１５のそれぞれに隙間調整部材１６ｋ，１６ｌ，１６ｍ及び１６ｎを上下移動可能に取り付けるようにしてもよい。
これらの場合、台輪本体１０に中桟１３が設けられている場合であっても、別途、詰部材２２のようなものを設ける必要がなくなる。
【００２１】
また、上述の実施形態では、隙間調整部材１６を上部が硬質材料１８で形成され、下部が軟質材料２０で形成される場合を示したが、床面Ｆの不陸の程度が小さい等の場合には、隙間調整部材１６を硬質材料１８のみで構成するようにしてもよい。
【符号の説明】
【００２２】
１０…台輪本体
１２…横架材
１４…アジャスター機構
１５…切欠き凹部
１６…隙間調整部材
１８…硬質材料
２０…軟質材料
１００…剛性構造物
Ｆ…床面
【図１】
2018019828.tif 000003
【図２】
2018019828.tif 000004
【図３】
2018019828.tif 000005
【図４】
2018019828.tif 000006
【図５】
2018019828.tif 000007
【図６】
2018019828.tif 000008